(57)【要約】【課題】ＡＴＭ装置からホスト装置への問い合わせの完了を待たなければならなかった。【解決手段】（１）出金に関する情報を集中管理するホスト装置と、（２）出金履歴データを記憶する不揮発性メモリを有するカードと、（３）出金の手続を行うための手続部と、前記カードの前記不揮発性メモリから前記出金履歴データを読み出す不揮発性メモリリーダと、前記出金の手続の内容と前記出金履歴データとを比較することにより、前記出金の手続が本人によるか否かを判断する判断部と、前記出金の手続が本人によると判断されたとき、当該出金を行う出金部と、を有するＡＴＭ装置と、を含む。【選択図】図１
2009176088.tif 000002
【特許請求の範囲】
【請求項１】
（１）出金に関する情報を集中管理するホスト装置と、
（２）出金履歴データを記憶する不揮発性メモリを有するカードと、
（３）出金の手続を行うための手続部と、
前記カードの前記不揮発性メモリから前記出金履歴データを読み出す不揮発性メモリリーダと、
前記出金の手続の内容と前記出金履歴データとを比較することにより、前記出金の手続が本人によるか否かを判断する判断部と、
前記出金の手続が本人によると判断されたとき、当該出金を行う出金部と、を有するＡＴＭ装置と、を含むことを特徴とするＡＴＭシステム。
【請求項２】
前記不揮発性メモリは、ＦｅＲＡＭであることを特徴とする請求項１記載のＡＴＭシステム。
【発明の詳細な説明】
【技術分野】
【０００１】
本発明は、ＡＴＭシステムに関する。
【背景技術】
【０００２】
下記の特許文献１に記載されたと同様なＡＴＭ（Automated Teller Machine：現金自動預け払い機）システムでは、ユーザは、ＡＴＭ装置でカードの挿入、パスワードの入力、及び、取引のための入力（例えば、出金の取引を行うときには、出金額の入力）を行い、ＡＴＭ装置は、カードに記憶されたユーザの識別番号、並びに、入力されたパスワード及び出金額に基づき、ホスト装置に本人認証及び出金の許否を問い合わせ、出金が許可されるとその金額をユーザに出金する。
【０００３】
【特許文献１】ＷＯ２０００／０５２８６６
【発明の開示】
【発明が解決しようとする課題】
【０００４】
しかしながら、従来のＡＴＭシステムでは、ＡＴＭ装置は、上記したようなホスト装置への問い合わせを、ユーザが出金等を行おうとしているときにリアルタイムで行うことから、ユーザは、当該問い合わせが完了するまで待たなければならないという問題があった。
【課題を解決するための手段】
【０００５】
本発明は、上記した課題を解決すべく、以下の適用例により実現される。
【０００６】
［適用例１］
適用例１のＡＴＭシステムは、
（１）出金に関する情報を集中管理するホスト装置と、
（２）出金履歴データを記憶する不揮発性メモリを有するカードと、
（３）出金の手続を行うための手続部と、
前記カードの前記不揮発性メモリから前記出金履歴データを読み出す不揮発性メモリリーダと、
前記出金の手続の内容と前記出金履歴データとを比較することにより、前記出金の手続が本人によるか否かを判断する判断部と、
前記出金の手続が本人によると判断されたとき、当該出金を行う出金部と、を有するＡＴＭ装置と、を含む。
【０００７】
適用例１のＡＴＭシステムによれば、前記決定部が、前記出金の手続の内容と、前記カードの不揮発性メモリに記憶されている前記出金履歴データとを比較し、前記出金の手続が本人による判断されたときには、当該出金を行うことにより、従来のようなホスト装置への問い合わせを行うことなく出金を完了することが可能となる。
【０００８】
［適用例２］
適用例２のＡＴＭシステムは、適用例１のＡＴＭシステムであって、
前記不揮発性メモリは、ＦｅＲＡＭである。
【発明を実施するための最良の形態】
【０００９】
実施例のＡＴＭシステムについて図面を参照して説明する。
【００１０】
《実施例》
《構成》
図１は、実施例のＡＴＭシステムの構成を示す。実施例のＡＴＭシステムは、図１に示されるように、ホスト装置１と、複数のＡＴＭ装置２Ａ〜２Ｚと、カード３とを含む。
【００１１】
〈ホスト装置〉
ホスト装置１は、例えば銀行の本社に設置されており、ユーザ（顧客）に関する情報、例えば、氏名、識別番号、パスワード、預金額等を記憶している、出金履歴データＤＴ（後述）のマスターデータであるデータベース（図示せず。）、及び、ＡＴＭ装置２Ａ〜２Ｚと通信を行う通信機能（図示せず。）を有する。
【００１２】
〈ＡＴＭ装置〉
図２は、実施例のＡＴＭ装置の構成を示す。
ＡＴＭ装置２Ａは、銀行の支店又はコンビニエンスストア等に設置されており、図２に示されるように、入力部Ｎと、不揮発性メモリリーダ／ライタＦＲＷと、制御部Ｃと、記憶部Ｓと、表示部Ｄと、通信部Ｔと、を有する。
【００１３】
『手続部』である入力部Ｎは、例えば、複数のボタン、及び、カード挿入口からなり、ユーザのパスワードの入力、入金額及び出金額の入力、並びに、カード３の挿入のために用いられる。
【００１４】
不揮発性メモリリーダ／ライタＦＲＷは、カード３の不揮発性メモリＦ（後述）から、ユーザの出金履歴データＤＴを読み出す。
【００１５】
制御部Ｃは、ＡＴＭ装置２Ａ全体の動作を制御しかつ監視する。
【００１６】
制御部Ｃは、また、『判断部』及び『出金部』として、ユーザにより入力されたパスワードとカード３に記憶されているパスワードととの照合、並びに、ユーザがこれから行おうとしている取引（出金）の内容と、ユーザが過去に行った取引（出金）の内容（出金履歴データＤＴに記憶されている出金履歴の内容）との照合により本人認証を行い、本人であると確認することができたとき出金を行う。
【００１７】
記憶部Ｓは、ユーザが行った取引に関する情報、例えば、ユーザの氏名、識別番号、取引日時、場所、金額等を一時的に記憶し（図示せず。）、取引が終わった後に、ホスト装置１に当該取引の情報を送信する。
【００１８】
表示部Ｄは、例えば、ＣＲＴ、液晶パネルからなり、ユーザが入力する情報（例えば、出金額）を表示する。
【００１９】
通信部Ｔは、ホスト装置１との間で、ユーザが行った取引に関する情報をやりとりし、また、必要に応じて、即ち、本人認証ができなかったとき、ユーザがこれから行おうとする取引に関する情報のやりとりをする。
【００２０】
他のＡＴＭ装置２Ｂ〜２Ｚもまた、ＡＴＭ装置２Ａと同様な構成及び機能を有する。
【００２１】
〈カード〉
図３は、実施例のカードの構成を示す。
カード３は、ユーザの一人一人に携帯され、図３に示されるように、不揮発性メモリＦを有する。
【００２２】
不揮発性メモリＦは、例えば、ＥＥＲＯＭ、ＦｅＲＡＭであり、図３に示されるように、ユーザを識別するための、ユーザの識別番号ＩＤと、ユーザの本人認証を行うためのパスワードＰＷと、出金履歴データＤＴと、を有する。
【００２３】
図４は、実施例の出金履歴データの内容を示す。
出金履歴データＤＴは、図４に示されるように、ユーザが過去に行った取引に関する情報であり、具体的には、出金の取引については、出金を行った「年月日」、「出金場所」、「出金額」である。出金履歴データＤＴは、例えば、「Ｙ１年Ｍ１月Ｄ１日」に「新宿」で「￥３００００」を出金したこと、「Ｙ２年Ｍ２月Ｄ２日」に「池袋」で「￥２００００」出金したことを表す。
【００２４】
《動作》
実施例のＡＴＭシステムの動作について、図５、図６のフローチャートを参照して説明する。
【００２５】
図７は、実施例のＡＴＭシステムの出金事実を示す。
以下では、説明及び理解を容易にすべく、本人自身であるユーザが、図７に示されるように、「Ｙａ年Ｍａ月Ｄａ日」の「日中」に「新宿」で「￥２５０００」を出金しようとしていることを想定する。
【００２６】
ステップＳ１０：ユーザは、「新宿」にあるＡＴＭ装置２Ａで、入力部Ｎを用いて、カード３の挿入、パスワードの入力、出金額「￥２５０００」の入力を行う。
【００２７】
ステップＳ１１：ＡＴＭ装置２Ａでは、不揮発性メモリリーダ／ライタＦＲＷが、前記挿入されたカード３の不揮発性メモリＦから、ユーザの識別番号ＩＤ、パスワードＰＷ、出金履歴データＤＴを読み出す。
【００２８】
ステップＳ１２：制御部Ｃは、ユーザにより入力されたパスワードと、カード３に記憶されているパスワードＰＷとが一致するか否かを判断する。ここで、ユーザは、本人自身であることから、両パスワードは一致する。
【００２９】
ステップＳ１３：制御部Ｃは、ユーザが出金を行うとしている場所「新宿」が、出金履歴データＤＴ中の「出金場所」から判断して妥当であるか否か、即ち、本人による出金行為であると認められるか否かを判定する。ここで、出金履歴データＤＴは、過去の出金場所として、「新宿」を３回含むことから、妥当であると判定する。
【００３０】
ステップＳ１４：制御部Ｃは、ユーザが出金しようとしている出金額が、出金履歴データＤＴ中の「出金額」から判断して妥当であるか否か、即ち、本人による出金行為であると認められるか否かを判定する。ここで、出金履歴データＤＴは、過去の出金額として、出金しようとしている金額「￥２５０００」より高額である金額「￥３００００」、「￥４００００」、「￥２５０００」、「￥３５０００」を含むことから、妥当であると判断する。
【００３１】
ステップＳ１５：ＡＴＭ装置２Ａは、ユーザに対し「￥２５０００」を出金する。
【００３２】
ステップＳ１６：ＡＴＭ装置２Ａでは、不揮発性メモリリーダ／ライタＦＲＷは、図７に図示の、今回の出金の事実を、カード３の不揮発性メモリＦ中の出金履歴データＤＴに追加することにより、出金履歴データＤＴを更新する。
【００３３】
加えて、制御部Ｃは、上記した今回の出金事実を記憶部Ｓに一時的に記憶する。このようにして、ユーザによる出金が、ホスト装置１及びＡＴＭ装置２Ａ間でのリアルタイムの処理を行うことなく完了する。
【００３４】
ステップＳ２０：「夜間」になると、図６に示されるように、ＡＴＭ装置２Ａでは、通信部Ｔは、上記したユーザの識別番号ＩＤ及び出金の事実（図７に図示。）をホスト装置１へ送信する。
【００３５】
ステップＳ２１：ホスト装置１は、前記ユーザの識別番号ＩＤ及び出金の事実を受信すると、当該ユーザの識別番号ＩＤ及び当該出金の事実を用いてデータベースを更新する。
【００３６】
〈効果〉
実施例のＡＴＭシステムでは、ＡＴＭ装置２Ａが、ユーザにより入力されたパスワード、ユーザが出金しようとしている場所、ユーザが出金しようとしている出金額と、カード３の不揮発性メモリＦから読み出した出金履歴データＤＴとを比較することにより、当該ユーザが本人自身であるかを判断することによって、ホスト装置１への問い合わせを行う必要がなくなることから、ユーザが当該問い合わせの間待たなければならないという事態を回避することができる。しかも、パスワード、出金場所、出金額の３つに基づきユーザが本人自身であるか否かを認証することから、セキュリティを確保することが可能となる。
【００３７】
《変形例》
図１０は、変形例のＡＴＭシステムの出金事実を示す。
変形例のＡＴＭシステムは、実施例のＡＴＭシステムと同様な構成を有する。但し、変形例のＡＴＭシステムでは、図１０に示されるように、本人であるか否かが定かでない者（以下、「不定者」という。）が、「Ｙｂ年Ｍｂ月Ｄｂ日」の「日中」に「松本（長野県）」で「￥１００００００（百万円）」を出金しようとしていることを想定する。
【００３８】
以下、変形例のＡＴＭシステムの動作について、図８、図９のフローチャートを参照して説明する。
【００３９】
ステップＳ３０：不定者は、「松本」にあるＡＴＭ装置２Ｚで、入力部Ｎを用いて、カード３の挿入、パスワードの入力、出金額「￥１００００００」の入力を行う。
【００４０】
ステップＳ３１：ＡＴＭ装置２Ｚでは、不揮発性メモリリーダ／ライタＦＲＷが、前記挿入されたカード３から、その識別番号ＩＤ、パスワードＰＷ、出金履歴データＤＴを読み出す。
【００４１】
ステップＳ３２：制御部Ｃは、ユーザにより入力されたパスワードと、カード３に記憶されているパスワードＰＷとが一致するか否かを判断する。ここで、例えば、不定者が、ユーザ自身、ユーザの代理の者である等の理由により、両パスワードが一致したものとする。
【００４２】
ステップＳ３３：制御部Ｃは、不定者が出金を行うとしている場所「松本」が、出金履歴データＤＴ中の「出金場所」から判断して妥当であるか否か、即ち、本人による出金行為であると認められるか否かを判定する。ここで、出金履歴データＤＴは、過去の出金場所として、「松本」を１回も含まず、他方で、「松本」は、出金履歴データＤＴに記憶されている過去の出金場所「新宿」、「池袋」、「渋谷」から極めて遠い訳ではないことから、制御部Ｃは、出金行為が本人によるか否かを判断できない。
【００４３】
ステップＳ３４：制御部Ｃは、不定者が出金しようとしている出金額が、出金履歴データＤＴ中の「出金額」から判断して妥当であるか否か、即ち、本人による出金行為であると認められるか否かを判定する。ここで、出金履歴データＤＴは、過去の出金額として、出金しようとしている金額「￥１００００００」より高額である金額を全く含まないことから、妥当でないと判断する。妥当であると判断する場合、処理はステップＳ１５へ続く。
【００４４】
ステップＳ３５：ＡＴＭ装置２Ｚは、従来と同様に、ホスト装置１に対し、当該出金を行って良いか否かを問い合わせる。ＡＴＭ装置２Ｚは、従来と同様に、ホスト装置１から出金の許可を得られれば、出金を行い、反対に、出金の許可を得られなければ、出金を行わない。
【００４５】
ステップＳ４０：上記したステップＳ３５を経た後、「夜間」になると、図９に示されるように、ステップＳ２０と異なり、ＡＴＭ装置２Ｚでは、何らの処理を行わない。
【００４６】
ステップＳ４１：ステップＳ４０でＡＴＭ装置２Ｚが何らの処理を行わないことから、ホスト装置１もまた、ステップＳ２１と異なり、何らの処理を行わない。
【００４７】
〈効果〉
変形例のＡＴＭシステムでは、ＡＴＭ装置２Ｚが、前記不定者により入力された出金額と、カード３の不揮発性メモリＦに記憶されている出金履歴データＤＴ中の「出金額」とを比較して、前記不定者が本人であると認証できないときには、従来と同様に、ホスト装置１に問い合わせた上で、上記した出金を行い又は行わないことにより、従来と同様な出金業務を遂行することが可能となる。
【図面の簡単な説明】
【００４８】
【図１】実施例のＡＴＭシステムの構成を示す図。
【図２】実施例のＡＴＭ装置の構成を示す図。
【図３】実施例のカードの構成を示す図。
【図４】実施例の出金履歴データの内容を示す図。
【図５】実施例のＡＴＭシステムの動作を示す図（その１）。
【図６】実施例のＡＴＭシステムの動作を示す図（その２）。
【図７】実施例のＡＴＭシステムの出金事実を示す図。
【図８】変形例のＡＴＭシステムの動作を示す図（その１）。
【図９】変形例のＡＴＭシステムの動作を示す図（その２）。
【図１０】変形例のＡＴＭシステムの出金事実を示す図。
【符号の説明】
【００４９】
１…ホスト装置、２Ａ〜２Ｚ…ＡＴＭ装置、３…カード、Ｆ…不揮発性メモリ、ＤＴ…出金履歴データ。
【図１】
2009176088.tif 000003
【図２】
2009176088.tif 000004
【図３】
2009176088.tif 000005
【図４】
2009176088.tif 000006
【図５】
2009176088.tif 000007
【図６】
2009176088.tif 000008
【図７】
2009176088.tif 000009
【図８】
2009176088.tif 000010
【図９】
2009176088.tif 000011
【図１０】
2009176088.tif 000012